(57)【要約】  【課題】冷蔵庫の扉の周縁部まで光沢をだす為に透明性の非常に高いアクリル樹脂材を用いて扉外郭を成形した場合、アクリル樹脂材は非常に吸湿性が高く、高温高湿環境下では扉外郭にソリ、それに追随して扉の内板部設置されている扉パッキンと冷蔵庫本体との間に隙間が発生し、その隙間より冷蔵庫庫内の冷気が漏れると言う課題を有していた。  【解決手段】アクリル樹脂製の扉外郭８の裏面に施されたに裏面塗装と、表面層９に防湿用コーティングとして防湿性の高いウレタン系クリヤーコーティング材を用いることに、コーティング材の乾燥温度を６０℃位の低温で処理可能となり、扉外郭８のアクリル樹脂を変形および透明感を損なわずに、高意匠性を保ちそして防湿効果により吸湿による扉ソリを抑制し、冷蔵庫庫内よりの冷気の漏れを未然に防止できることになる。【選択図】図１
2006329552.tif 000002
【特許請求の範囲】
【請求項１】
アクリル樹脂製の扉外郭と内板とその内部に充填発泡されている断熱材と裏面に塗装を施した扉外郭と扉外郭の表面層に防湿性コーティング材を塗布することを特徴とする冷蔵庫。
【請求項２】
扉外郭の表面層に防湿性コーティング材を混合した塗料を塗布されている請求項１に記載の冷蔵庫。
【請求項３】
扉外郭の表面層に防湿性コーティング材をフィルム化し貼付されている請求項１に記載の冷蔵庫扉。
【請求項４】
扉外郭の表面層に防湿性且つ抗菌作用を有するコーティング材を塗布されている請求項１に記載の冷蔵庫。
【請求項５】
扉外郭にポリカーボネート樹脂を使用した請求項１に記載の冷蔵庫。
【発明の詳細な説明】
【技術分野】
【０００１】
本発明は、冷蔵庫の樹脂製の高意匠性扉材への吸湿を防止し、吸湿による扉ソリ発生を抑制することで、扉隙に起因する冷気漏れを未然防止して品質向上を図る機能を提供する冷蔵庫に関するものである。
【背景技術】
【０００２】
近年、生活スタイルの多様化により、意匠性の良し悪しが商品の価値を大きく左右しており、各社とも扉表面の意匠を工夫し、顧客の生活スタイルに合う冷蔵庫を提供している（例えば、特許文献１参照）。
【０００３】
以下、図面を参照しながら上記従来の冷蔵庫を説明する。
【０００４】
図３は、従来の冷蔵庫扉の斜視図、図４は同冷蔵庫の扉の概略断面図である。図において１は扉で着色樹脂板２と枠体３と、内板４と着色樹脂板２と枠体３と内板４で囲まれた空間内に発泡充填された断熱材５とからなる。着色樹脂板２は平板で透明層６と着色層７とからなり、枠体３は着色樹脂板２の全周に設けられている。また枠体３の前部に設けた挿入部８に着色樹脂板２を全周に亘って挿入し、その後断熱材５を充填発泡するものである。
【０００５】
上記構成により、着色層７の前に位置する透明層６にて光沢を出すとともに、光沢と深みを持たすことができ、扉１の意匠性向上を図ることができる。
【特許文献１】特開平５−２８８４５８号公報
【発明の開示】
【発明が解決しようとする課題】
【０００６】
しかしながら上記従来の構成では着色樹脂板２は平面で全周に亘って枠体３が設けられているので、扉周縁部まで光沢をだすことができず、扉１の周縁部の意匠性が低いとう課題を有していた。
【０００７】
また、周縁部の意匠性を高めるために透明性の非常に高いアクリル樹脂材を用いて射出成形工法により、扉外郭を成形した場合、アクリル樹脂材は非常に吸湿性が高く、高温高湿環境下では扉外郭にソリ、それに追随して扉の内板部設置されている扉パッキンと冷蔵庫本体との間に隙間が発生し、その隙間より冷蔵庫庫内の冷気が漏れ出してしまうという問題を有していた。
【０００８】
本発明は従来の課題を解決するもので、扉の周縁部の光沢を高め、且つ高温高湿環境下で扉ソリにより冷蔵庫庫内よりの冷気漏れの生じない冷蔵庫を提供することを目的とする。
【課題を解決するための手段】
【０００９】
上記従来の課題を解決するために、本発明の冷蔵庫は、冷蔵庫の扉外郭にアクリル樹脂材料を用いることで全周縁部の光沢を高め、扉表面に防湿性コーティング材を塗布することで、吸湿による扉ソリを抑制するという作用を有する。
【発明の効果】
【００１０】
本発明の冷蔵庫は、冷蔵庫のアクリル樹脂材を扉外郭に用いることにより全周縁部の光沢も向上し意匠性にも優れ、また扉表面に防湿機能を施すことで、吸湿による扉ソリを抑制し、冷蔵庫庫内よりの冷気の漏れを未然に防止できるとういう効果を有する。
【発明を実施するための最良の形態】
【００１１】
請求項１に記載の発明は、アクリル樹脂製の扉外郭と内板とその内部に充填発泡されている断熱材と裏面に塗装を施された扉外郭と扉外郭の表面層に防湿性コーティング材を塗布することにより、全周縁部の光沢も向上し意匠性にも優れ、また扉表面に防湿機能を施すことで、吸湿による扉ソリを抑制し、冷蔵庫庫内よりの冷気の漏れを未然に防止できるものである。
【００１２】
請求項２に記載の発明は、請求項１に記載の発明の扉外郭表面層に防湿性コーティング材を混合した塗料を塗布したことにより、全周縁部の光沢も向上し、また塗装の色、模様などを変えることで、フレキシブルなデザインに容易に対応できるため意匠性をより向上させ、また扉表面に防湿機能を施すことで、吸湿による扉ソリを抑制し、冷蔵庫庫内よりの冷気の漏れを未然に防止できるものである。
【００１３】
請求項３に記載の発明は、請求項１に記載の発明の扉外郭表面層に防湿性コーティング材をフィルム化し貼付することにより、全周縁部の光沢も向上し意匠性にも優れ、またフィルム化することで扉表面の防湿機能をより高めることで、吸湿による扉ソリを抑制し、冷蔵庫庫内よりの冷気の漏れを未然に防止できるものである。
【００１４】
請求項４に記載の発明は、請求項１に記載の発明の扉外郭表面層に防湿性且つ抗菌作用を有するコーティング材を塗布することにより、全周縁部の光沢も向上し意匠性の向上をはかり、扉表面の防湿機能をより高めることで、吸湿による扉ソリを抑制し、冷蔵庫庫内よりの冷気の漏れを未然に防止できることに加えて、クリーンイメージを高めるものである。
【００１５】
請求項５に記載の発明は、請求項１に記載の発明の扉外郭にポリカーボネート樹脂を使用することにより、全周縁部の光沢も向上し意匠性にも優れ、アクリル樹脂より吸湿性が低いことより扉表面の防湿機能をより高めることで、吸湿による扉ソリを抑制し、冷蔵庫庫内よりの冷気の漏れを未然に防止できるものである。
【００１６】
以下、本発明の実施の形態について、図面を参照しながら説明する。なお、この実施の形態によってこの発明が限定されるものではない。
【００１７】
（実施の形態１）
図１は、本発明の実施の形態１による冷蔵庫の扉の概略断面図である。
【００１８】
図において８はアクリル樹脂製扉外郭で裏面に施されたに着色層７と、表面層９に防湿用コーティングを施されている。またアクリル樹脂製扉外郭８と内板４の内部に断熱材５が充填発泡されている。
【００１９】
以上のように、本実施の形態において表面層９に防湿性の高いウレタン系クリヤーコーティング材を用いることに、コーティング材の乾燥温度を６０℃位の低温で処理可能となり、アクリル樹脂製扉外郭８の変形および透明感を損なわずに、高意匠性を保ちそして防湿効果により吸湿による扉ソリを抑制し、冷蔵庫庫内よりの冷気の漏れを未然に防止できることができる。
【００２０】
また、本実施の形態の表面層９に着色したウレタン系コーティング材を用いることにより、更に意匠性が向上でき、防湿効果も図ることができる。
【００２１】
また、本実施の形態の表面層９に１０μｍの厚さのポリエチレン製クリヤーフィルムを貼付させることにより、塗装仕様より防湿効果を高めることができる。
【００２２】
また、本実施の形態の表面層９のコーティング材に抗菌剤を添加させることにより、扉開閉時に多数の人が触る扉表面の菌の繁殖を抑制し、意匠性向上に加えてクリーンイメージを高めることができる。
【００２３】
（実施の形態２）
図２は、本発明の実施の形態２による冷蔵庫の扉の概略断面図である。
【００２４】
図において１０はポリカーボネート樹脂製扉外郭で、またポリカーボネート樹脂製扉外郭１０と内板４の内部に断熱材５が充填発泡されている。
【００２５】
以上のように本実施の形態において扉外郭にポリカーボネート樹脂を用いることにより、防湿処理なしでアクリル樹脂より吸湿作用を抑制でき、防湿コーティング処理にかかる工数、コストを削減することができる。
【産業上の利用可能性】
【００２６】
以上のように、本発明にかかる冷蔵庫は、冷蔵庫のアクリル樹脂材を扉外郭に用いることにより全周縁部の光沢も向上し意匠性にも優れ、また扉表面に防湿機能を施すことで、吸湿による扉ソリを抑制し、冷蔵庫庫内よりの冷気の漏れを未然に防止できるとういう効果を有するので、アクリル樹脂材を用いた外郭部品を有する高意匠性の機器等の用途にも適用できる。
【図面の簡単な説明】
【００２７】
【図１】本発明の実施の形態１による冷蔵庫の扉の概略断面図
【図２】本発明の実施の形態２による冷蔵庫の扉の概略断面図
【図３】従来の冷蔵庫扉の斜視図
【図４】従来の冷蔵庫の扉の概略断面図
【符号の説明】
【００２８】
４    内板
５    断熱材
７    着色層
８    アクリル樹脂製扉外郭
９    表面層
１０  ポリカーボネート樹脂製扉外郭
【図１】
2006329552.tif 000003
【図２】
2006329552.tif 000004
【図３】
2006329552.tif 000005
【図４】
2006329552.tif 000006